(57)【要約】      （修正有）【課題】商品棚に沿って移動する購入者に対して、視覚的にアピールを行って、目的の商品棚に到達する前にもＰＯＰ広告の機能が発揮される紙カートンを提供する。【解決手段】底面パネル６の周縁に立設された前後左右４面のパネル７〜１０を有するトレー部３を備える紙カートン１において、左右両側面のパネル９，１０の少なくとも一方に沿いながら前面パネルを越えて延在するＰＯＰ広告パネル４又は５を設けた。【選択図】図１
2012218789.tif 000002
【特許請求の範囲】
【請求項１】
底面パネルの周縁に立設された前後左右４面のパネルを有するトレー部を備える紙カートンにおいて、
左右両側面のパネルの少なくとも一方に沿いながら前面パネルを越えて延在するＰＯＰ広告パネルを設けたことを特徴とする、紙カートン。
【請求項２】
前記トレー部とＰＯＰ広告パネルの上方に切目線を介して連結された前後左右４面の離脱パネルと、該前後左右４面の分離パネルのいずれか一方に連設された蓋フラップとを有する離脱部を備えることを特徴とする、請求項１に記載の紙カートン。
【請求項３】
前記ＰＯＰ広告パネルは、前記前面パネルの左右両端に連設された一対の前方糊代フラップの少なくとも一方の上端に連設されることを特徴とする、請求項１又は２に記載の紙カートン。
【請求項４】
前記ＰＯＰ広告パネルは、前記左右両側面の少なくとも一方の上端に連設されることを特徴とする、請求項１又は２に記載の紙カートン。
【請求項５】
前記ＰＯＰ広告パネルは、水平方向に延在する山折り線を備えることを特徴とする、請求項１又は２に記載の紙カートン。
【請求項６】
前記ＰＯＰ広告パネルは、上端の一部を差し込む折曲保持部を備えることを特徴とする、請求項５に記載の紙カートン。
【発明の詳細な説明】
【技術分野】
【０００１】
本発明は、ＰＯＰ（point of purchaseの略）広告機能を備えた紙カートンに関する。
【背景技術】
【０００２】
ＰＯＰ広告とは、購買時点広告とも言い、販売店などの内外に展開される広告やディスプレー類の総称のことである。統計によれば、スーパーマーケットやコンビニエンスストア等への入店時に、購入商品の銘柄を予め決定している「計画購入者」は、１割未満であるとされる。このため、残り９割以上の購入者に対しては購入商品の銘柄を決定する際の判断基準を示す必要があり、ＰＯＰ広告は、このような判断基準の１つとして重要な役割を担うことになる。
【０００３】
ガムや清涼菓子などについては、複数個まとめたものを紙カートンに収容して商品棚に陳列しているが、かかる紙カートンには、通常、ＰＯＰ広告を機能させるような構成が付加されている。ＰＯＰ広告を機能させるような構成としては、紙カートンにＰＯＰ広告用の別部材を取り付けるものや、最前列の商品の包装デザインをできるだけ紙カートンの前面パネルで隠さないようにしたもの（例えば、特許文献１及び２）が挙げられる。
【先行技術文献】
【特許文献】
【０００４】
【特許文献１】特開２０００−２１１６３５号公報
【特許文献２】特開２００４−５１１５０号公報
【発明の概要】
【発明が解決しようとする課題】
【０００５】
しかしながら、別部材を必要とする構成では、紙カートンとは別個に広告用の印刷が必要となり、また、部品点数も増加するため、コストを抑制できないという問題点がある。一方、特許文献１及び２のような構成では、購入商品が置いている棚の前に購入者が立ち止まって真正面から最前列の商品の包装デザインを見ない限り、ＰＯＰ広告の機能が発揮されることはない。特に、購入商品の銘柄を決定していない場合には、商品棚に沿って移動しながら購入商品が置いている棚を探すことになるが、特許文献１及び２のような構成では、目的の商品棚に到達していない購入者に対して、視覚的なアピールを全く行うことができないという問題点がある。
【０００６】
そこで、本発明は、商品棚に沿って移動する購入者に対して、視覚的にアピールを行って、目的の商品棚に到達する前にもＰＯＰ広告の機能が発揮される紙カートンを提供することを課題とする。
【課題を解決するための手段】
【０００７】
かかる課題を解決するための手段として、本発明は、底面パネルの周縁に立設された前後左右４面のパネルを有するトレー部を備える紙カートンにおいて、左右両側面のパネルの少なくとも一方に沿いながら前面パネルを越えて延在するＰＯＰ広告パネルを設けた。
【０００８】
前記トレー部とＰＯＰ広告パネルの上方に切目線を介して連結された前後左右４面の離脱パネルと、該前後左右４面の分離パネルのいずれか一方に連設された蓋フラップと有する離脱部を備えるのが好ましい。
【０００９】
前記ＰＯＰ広告パネルは、前記前面パネルの左右両端に連設された一対の前方糊代フラップの少なくとも一方の上端に連設されるのが好ましい。
【００１０】
前記ＰＯＰ広告パネルは、前記左右両側面の少なくとも一方の上端に連設されるのが好ましい。
【００１１】
前記ＰＯＰ広告パネルは、水平方向に延在する山折り線を備えるのが好ましい。
【００１２】
前記ＰＯＰ広告パネルは、上端の一部を差し込む折曲保持部を備えるのが好ましい。
【発明の効果】
【００１３】
本発明によれば、購入者が購入商品の商品棚に到達しなくても、ＰＯＰ広告の視認が可能となり、紙カートンにおけるＰＯＰ広告の機能が向上して他の銘柄との差別化を図ることができる。
【図面の簡単な説明】
【００１４】
【図１】本発明の第１実施形態に係る紙カートンの斜視図である。
【図２】図１の紙カートンの展開図である。
【図３】図１の紙カートンに個別包装物を並べて包装フィルムで包んだ状態の斜視図である。
【図４】図１の紙カートンを使って個別包装物を複数個陳列した状態の一例を示す斜視図である。
【図５】図１の紙カートンを使って個別包装物を複数個陳列した状態の別の例を示す斜視図である。
【図６】本発明の第２実施形態に係る紙カートンの斜視図である。
【図７】図６の紙カートンの展開図である。
【図８】図６の紙カートンを使って個別包装物を複数個陳列した状態の一例を示す斜視図である。
【図９】図６の紙カートンを使って個別包装物を複数個陳列した状態の別の例を示す斜視図である。
【図１０】図６の紙カートンの離脱部を切り取る手順を示す説明図である。
【発明を実施するための形態】
【００１５】
以下、本発明に係る紙カートンについて、添付の図面を参照しながら説明することとする。
【００１６】
図１及び図２は、本発明の第１実施形態に係る紙カートン１を示している。紙カートン１は、図２に示すように、シート状に打ち抜いた厚手の板紙や段ボール等からなり、図３〜図５に示すように、ガムや清涼菓子などの個別包装物２を複数個まとめて収納するものである。紙カートン１は、トレー部３と、一対のＰＯＰ広告パネル４，５とを備える。トレー部３は、矩形状の底面パネル６と、該底面パネル６の周縁より立設される前後左右４面のパネル７〜１０とを有する。
【００１７】
前後左右４面のパネル７〜１０は、各山折り線１１〜１４を介して底面パネル６に対し垂直に折り曲げられる。前面パネル７は、略凹字状の形状をなし、底面パネル６の長辺側の端部の一方に連設される。前面パネル７は、一対の前方糊代フラップ１５，１６を介して左右両側面のパネル９，１０に連結される。一対の前方糊代フラップ１５，１６は、前面パネル７の左右両端に連設される。一対の前方糊代フラップ１５，１６は、各山折り線１７，１８を介して前面パネル７に対し垂直に折り曲げられ、接着剤等で左右両側面のパネル９，１０の前側の内面に固定される。後面パネル８は、矩形状に構成され、前面パネル７とは反対側にある底面パネル６の長辺側の端部の他方に連設される。後面パネル８は、一対の後方糊代フラップ１９，２０を介して左右両側面のパネル９，１０に連結される。一対の後方糊代フラップ１９，２０は、後面パネル８の左右両端に連設される。一対の後方糊代フラップ１９，２０は、各山折り線２１，２２を介して後面パネル８に対し垂直に折り曲げられ、接着剤等で左右両側面のパネル９，１０の後側の内面に固定される。左右両側面のパネル９，１０は、矩形状に構成され、底面パネル６の短辺側の両端部にそれぞれ連設される。
【００１８】
一対のＰＯＰ広告パネル４，５は、各前方糊代フラップ１５，１６の上端に連設される。ＰＯＰ広告パネル４，５は、山折り線２３，２４と折曲保持部２５，２６とを有する。各ＰＯＰ広告パネル４，５の前方は、スリット２７，２８を介して前面パネル７の上端から分離する。一対のＰＯＰ広告パネル４，５は、各側面パネル９，１０の上端前側に沿いながら前面パネル７を越えて延在する。山折り線２３，２４は、水平スリット２９，３０の後端からＰＯＰ広告パネル４，５の後端中央まで水平方向に延在する。ＰＯＰ広告パネル４，５の外面上部は、山折り線２３，２４を介して内側方向へ折り曲げられる。折曲保持部２５，２６は、ＰＯＰ広告パネル４，５の下端中央に沿って延在する１つの円弧状スリットからなる。折曲保持部２５，２６は、山折り線２３，２４を介して２つ折りにされたＰＯＰ広告パネル４，５の上端の一部を保持する。
【００１９】
次に、本実施形態に係る紙カートン１の組立方法について説明することとする。
【００２０】
山折り線１１〜１４を介して、前後左右４面のパネル７〜１０を底面パネル６に対し垂直に折り曲げて起立させる。次に、山折り線１７，１８を介して、前方糊代フラップ１５，１６を前面パネルに対し垂直に折り曲げるとともに、ＰＯＰ広告パネル４．５を前面パネル７と左右両側面のパネル９，１０に沿わせるように垂直に折り曲げて、接着剤等で左右両側面のパネル９，１０の前端内面に前方糊代フラップ１５，１６を貼着する。最後に、山折り線２１，２２を介して、後方糊代フラップ１９，２０を後面パネル８に対し垂直に折り曲げてから、接着剤等で左右両側面のパネル９，１０の後端内面に後方糊代フラップ１９，２０を貼着することで、本実施形態に係る紙カートン１の組立てが完了する。
【００２１】
次に、本実施形態に係る紙カートン１の使用方法とその作用について説明することとする。
【００２２】
本実施形態に係る紙カートン１の底面パネル６にガムや清涼菓子などの個別包装物２を複数個隙間なく並べた状態にしてから、図３に示すように、その全体が包装フィルム３１で覆われる。このように処理された包装体を１単位として、複数単位の包装体がスーパーマーケットやコンビニエンスストア等の店舗へ搬入されることになる。
【００２３】
本実施形態に係る紙カートン１を使って店舗の商品棚へ陳列する場合、包装フィルム３１を除去し、図４に示すように、ＰＯＰ広告パネル４，５の前側を前方に向けた状態にする。ＰＯＰ広告パネル４，５は、購入者の移動方向に対して垂直方向に延在するため、購入者は、陳列場所まで到達しなくても、ＰＯＰ広告パネル４，５の外面に施された印刷面を視認することができる。このように、ＰＯＰ広告パネル４，５は、移動中の視認性に優れるため、購入者が他の商品の銘柄のＰＯＰ広告を目にするよりも早く、購入者に対して視覚的なアピールを行うことが可能である。
【００２４】
山折り線２３，２４で分割されるＰＯＰ広告パネル４，５の外面の上下に別個の印刷が施されている場合には、図５に示すように、山折り線２３，２４を介してＰＯＰ広告パネル４，５の上部を折り曲げ、その上端を折曲保持部２５，２６に差し込んでＰＯＰ広告パネル４，５の折り曲げ状態を保つようにする。このように、商品陳列時に印刷面の一部を内側に折り返せば、紙カートン１の両面に印刷を施さなくても、購入者に対するＰＯＰ広告パネル４，５の視認性を高めることができる。その結果、印刷に関する費用をいたずらに増大させなくても、ＰＯＰ広告の機能を簡単に向上させることが可能である。
【００２５】
図６及び図７は、第２実施形態に係る紙カートン１を示している。本実施形態に係る紙カートン１において、上記第１実施形態と構成が同様であるものについては、同一の参照符号を付して説明を省略することとする。
【００２６】
本実施形態に係る紙カートン１は、トレー部３と、ＰＯＰ広告パネル４，５と、離脱部３２とを備える。トレー部３は、底面前方フラップ６ａと底面後方フラップ６ｂとからなる底面パネル６と、該底面パネル６の周縁に立設される前後左右４面のパネル７〜１０とを有する。底面前方フラップ６ａは、前面パネル７の下端に連設され、山折り線３３を介して前面パネル７に対し垂直に折り曲げられる。底面後方フラップ６ｂは、後面パネル８の下端に連設され、山折り線３４を介して後面パネル８に対し垂直に折り曲げられる。
【００２７】
前後左右４面のパネル７〜１０は、山折り線３５〜３７を介してそれぞれ隣接面に対し垂直に折り曲げられ、直方状に構成される。後面パネル８は、左側面パネル９の後端に連設され、後方糊代フラップ３８を介して右側面パネル１０に連結される。後方糊代フラップ３８は、後面パネル８とこれに連設された後述の後面離脱パネル４５の左端に連設される。後方糊代フラップ３８は、山折り線３９を介して後面パネル８等に対し垂直に折り曲げられ、接着剤等で右側面パネル１０等の後端内面に固定される。左右両側面のパネル９，１０は、前面パネル７の左右両端にそれぞれ連設される。左右両側面のパネル９，１０は、下方フラップ４０，４１を介して底面パネル６に連結される。下方フラップ４０，４１は、左右両側面のパネル９，１０の下端に連設される。下方フラップ４０，４１は、山折り線４２，４３を介して各側面パネル９，１０に対し垂直に折り曲げられ、接着剤等で底面パネル６の左右両側の内面に固定される。
【００２８】
一対のＰＯＰ広告パネル４，５は、各側面パネル９，１０の上端に連設される。各ＰＯＰ広告パネル４，５の前方は、山折り線３６，３７を介して垂直に折り曲げられ、前面パネル７の上端の左側と右側に沿ってそれぞれ延在する。各ＰＯＰ広告パネル４，５の後方は、各側面パネル９．１０の上端の前後に沿って延在する。折曲保持部２５，２６は、ＰＯＰ広告パネル４，５の下端後方に沿って延在する２つの円弧状スリットからなる。
【００２９】
離脱部３２は、前後左右４面の離脱パネル４４〜４７と、蓋フラップ４８とを有する。前後左右４面の離脱パネル４４〜４７は、各山折り線３５〜３７を介して隣接面に対し垂直に折り曲げられ、直方状に構成される。後面離脱パネル４５は、矩形状に構成され、左側面離脱パネル４６の後端に連設される。後面離脱パネル４５は、後方糊代フラップ３８を介して右側面パネル４１に連結される。左右側面の離脱パネル４６，４７は、矩形状に構成され、略Ｔ字状の前面離脱パネル４４の左右両端にそれぞれ連設される。
【００３０】
離脱部３２は、切目線を介してトレー部３とＰＯＰ広告パネル４，５の上方に連設される。切目線は、第１〜第４切目線４９〜５２からなる。第１切目線４９は、前面パネル７の上端中央とＰＯＰ広告パネル４，５の前端に沿いながら前面離脱パネル４４の上端中央まで延在する。第２切目線５０は、左側のＰＯＰ広告パネル４の上端に沿いながら山折り線３１上端まで略Ｌ字状に延在する。第３切目線５１は、右側のＰＯＰ広告パネル５の上端に沿いながら山折り線３６の上端まで略Ｌ字状に延在する。第４切目線５２は、後面離脱パネル４５の上端と一対のＰＯＰ広告パネル４，５の後端に沿って略Ｕ字状に延在する。左右両側面の離脱パネル４６，４７の上端には、上方フラップ５３，５４が連設される。上方フラップ５３，５４は、山折り線５５，５６を介して垂直に折り曲げられる。
【００３１】
蓋フラップ４８は、後面離脱パネル４５の上端に連設される。蓋フラップ４８は、山折り線５７を介して垂直に折り曲げられ、紙カートン１の上部開口部を封止する。蓋フラップ４８は、差込片５８を有する。差込片５８は、蓋フラップ４８前端に連設される。差込片５８は、山折り線５９を介して蓋フラップ４８に対し垂直に折り曲げられ、前面離脱パネル４０の内面に沿わせながら上部開口部内に差し込まれる。
【００３２】
次に、本実施形態に係る紙カートン１の組立方法について説明することとする。
【００３３】
山折り線３５〜３７を介して、前後左右４面のパネルとこれらにそれぞれ連設された前後左右４面の離脱パネル４４〜４７を隣接面に対し垂直に折り曲げるとともに、ＰＯＰ広告パネル４．５を垂直に折り曲げる。山折り線３９を介して、後方糊代フラップ３８を後面パネル８等に対し垂直に折り曲げてから、接着剤等で右側面パネル１０等の後端内面に後方糊代フラップ３８を貼着する。山折り線４２，４３を介して、下方フラップ４０，４１を左右両側面のパネル９，１０に対し垂直に折り曲げてから、山折り線３３，３４を介して、前後の底面フラップ６ａ，６ｂを前後両面のパネル７，８に対し垂直に折り曲げる。このように折り曲げられた底面フラップ６ａ，６ｂの端部同士を重ね合わせた状態にして、接着剤等で下方フラップ４０，４１を底面フラップ６ａ，６ｂの左右両側の内面に貼着する。山折り線５５，５６を介して、上方フラップ５３，５４を左右両側面の離脱パネル４６，４７に対し垂直に折り曲ける。最後に、山折り線５９を介して、差込片５８を蓋フラップ４８に対し垂直に折り曲げてから、山折り線５７を介して、蓋フラップ４８を後面離脱パネル４５に対し垂直に折り曲げ、上部開口部内に差込片５８を差し込むことで、本実施形態に係る紙カートン１の組立てが完了する。
【００３４】
次に、本実施形態に係る紙カートン１の使用方法とその作用について説明することとする。
【００３５】
本実施形態に係る紙カートン１の内部にガムや清涼菓子などの個別包装物２が複数個隙間なく収納される。その後、蓋フラップ４８で上部開口部を閉じて紙カートン１の内部を封止してから、その全体が包装フィルムで覆われる。このように処理された包装体を１単位として、複数単位の包装体がスーパーマーケットやコンビニエンスストア等の店舗へ搬入されることになる。
【００３６】
本実施形態に係る紙カートン１を使って店舗の商品棚へ陳列する場合、まず、包装フィルムを除去する。次に、図１０に示すように、離脱部３２を取り除くため、まず、第１切目線４９を切り取って、前面離脱パネル４０の中央部分をトレー部３から切り離す。さらに、第２切目線５０を切り取って前面離脱パネル４４の左側部分と左側面離脱パネル４６をトレー部３から切り離すとともに、第３切取線５１を切り取って前面離脱パネル４４の右側部分と右側面離脱パネル４７をトレー部３から切り離す。最後に、第４切目線５２を切り取って後面離脱パネル４５と蓋フラップ４８をトレー部３から切り離して、離脱部３２を完全にトレー部３から取り除き、紙カートン１内に収納した個別包装物２を視認可能な状態にする。
【００３７】
その後の取り扱い及びその作用については、上記第１実施形態と同様であるので説明を省略することとする。
【００３８】
なお、上記２つの実施形態では、ＰＯＰ広告パネル４，５を一対に構成したものが開示されているが、これらの構成に限定されるものではなく、２つ折りにすること等で移動中の購入者に対するＰＯＰ広告の視覚的アピールが確保されていれば、左右両側面のパネル９，１０のいずれか一方のみに設けるような構成であってもよい。
【符号の説明】
【００３９】
１  紙カートン
２  個別包装物
３  トレー部
４，５  ＰＯＰ広告パネル
６  底面パネル
６ａ  底面前方フラップ
６ｂ  底面後方フラップ
７  前面パネル
８  後面パネル
９  左側面パネル
１０  右側面パネル
３２  離脱部
４０，４１  下方フラップ
４２，４３  山折り線
４４  前面離脱パネル
４５  後面離脱パネル
４６  左側面離脱パネル
４７  右側面離脱パネル
４８  蓋フラップ
４９  第１切目線
５０  第２切目線
５１  第３切目線
５２  第４切目線
【図１】
2012218789.tif 000003
【図２】
2012218789.tif 000004
【図３】
2012218789.tif 000005
【図４】
2012218789.tif 000006
【図５】
2012218789.tif 000007
【図６】
2012218789.tif 000008
【図７】
2012218789.tif 000009
【図８】
2012218789.tif 000010
【図９】
2012218789.tif 000011
【図１０】
2012218789.tif 000012